(57)【特許請求の範囲】
【請求項１】
注射針を装着する先端筒体を有するシリンジと、該シリンジ内に摺動可能に配置されて該シリンジの内側にて内容物の充填空間を形成するピストンと、該ピストンに連結するとともに、押し込み力の付加に伴うスライドにて該充填空間内の内容物を該注射針の先端から排出させるプランジャーとを備える注射器であって、
前記ピストンは、前記充填空間に向けて軸線方向に貫通する中央開孔を有し、
前記プランジャーは、該中央開孔につながる内側空間を備え、該内側空間に、先端部が該充填空間に常時露出するとともに該中央開孔に摺動可能に保持されて該プランジャーと同心二重配置となるロッドを設け、
前記プランジャーの外側部に、前記充填空間内に内容物を導入する該プランジャーの引き戻しを、シリンジに設けた窓孔端に連係させて所定の引き戻し量で停止させる係止端を形成し、
該プランジャーの後端部に、充填空間内の残留空気を一部の内容物とともに排出する該プランジャーの押し込みに際して該シリンジの後端に設けた指掛け部との当接によって該押し込みを停止させるプランジャーストッパーを形成し、
前記ロッドは、該ロッドの押し込みにて該充填空間内に突き出される前記先端部を、該プランジャーとの当接によって所定の突き出し量で停止させて該先端部の突き出しに係る内容物の排出を所定量で停止させるロッドストッパーを有することを特徴とする注射器。
【請求項２】
前記係止端は、一端部を前記プランジャーに連結させた弾性片の他端部である請求項１に記載の注射器。
【請求項３】
前記プランジャーは、前記ロッドの後端部に当接して該プランジャーの押し込みに伴って該ロッドをスライドさせる着脱自在なカバーを備える請求項１又は２に記載の注射器。
【請求項４】
前記カバーは、前記プランジャーストッパーにヒンジを介して連結されたものである請求項３に記載の注射器。
【請求項５】
前記シリンジは、注射針の未装着姿勢において前記先端筒体に装着される先端カバーを備える請求項１〜４の何れかに記載の注射器。
【発明の詳細な説明】
【技術分野】
【０００１】
本発明は、注射器に関するものであり、特には、少量の内容物を定量で排出させようとするものである。
【背景技術】
【０００２】
医療分野で使用される注射器は、例えば特許文献１に記載の注射器のように、シリンジ（シリンダ）の表面に目盛が設けられているのが一般的であり、例えば人差し指と中指でシリンジを挟持して支えた状態で、目盛りを見ながら親指でプランジャーを押し込むことで、所定量の内容物（薬液）が患者に投与される。
【先行技術文献】
【特許文献】
【０００３】
【特許文献１】特開２００２−３０６５９４号公報
【発明の概要】
【発明が解決しようとする課題】
【０００４】
ところで、上述した特許文献１に記載されるような従来の注射器は、目盛が付されているとはいえ、指の押圧加減でプランジャーの押し込み量を調整することが必要であり、多少のばらつきが免れない。特に、必要とする量が少量となる場合は、内容物の排出に際して許容されるばらつきの量が一段と厳しくなるため、操作が非常に難しくなっていた。また、シリンジに予め所定量の内容物を充填しておき、この内容物を全て排出することも検討されたが、注射針をシリンジに装着する際に入り込む空気や元々注射針内に存在する空気等を確実に排出しておくためには、それらの空気とともに内容物の一部も併せて排出することが不可避であり、依然として所期した量での内容物の排出は困難であった。このため、少量の内容物であっても正確な量で、しかも簡単な操作で排出することができる新たな注射器の出現が、切に望まれていた。
【０００５】
本発明の課題は、少量の内容物を定量で排出させることができ、しかも簡易な構成で実現できる使い勝手の良い注射器を提案するところにある。
【課題を解決するための手段】
【０００６】
本発明は、注射針を装着する先端筒体を有するシリンジと、該シリンジ内に摺動可能に配置されて該シリンジの内側にて内容物の充填空間を形成するピストンと、該ピストンに連結するとともに、押し込み力の付加に伴うスライドにて該充填空間内の内容物を該注射針の先端から排出させるプランジャーとを備える注射器であって、
前記ピストンは、前記充填空間に向けて軸線方向に貫通する中央開孔を有し、
前記プランジャーは、該中央開孔につながる内側空間を備え、該内側空間に、先端部が該充填空間に常時露出するとともに該中央開孔に摺動可能に保持されて該プランジャーと同心二重配置となるロッドを設け、
前記プランジャーの外側部に、前記充填空間内に内容物を導入する該プランジャーの引き戻しを、シリンジに設けた窓孔端に連係させて所定の引き戻し量で停止させる係止端を形成し、
該プランジャーの後端部に、充填空間内の残留空気を一部の内容物とともに排出する該プランジャーの押し込みに際して該シリンジの後端に設けた指掛け部との当接によって該押し込みを停止させるプランジャーストッパーを形成し、
前記ロッドは、該ロッドの押し込みにて該充填空間内に突き出される前記先端部を、該プランジャーとの当接によって所定の突き出し量で停止させて該先端部の突き出しに係る内容物の排出を所定量で停止させるロッドストッパーを有することを特徴とする注射器である。
【０００７】
前記係止端は、一端部を前記プランジャーに連結させた弾性片の他端部であることが望ましい。
【０００８】
前記プランジャーは、前記ロッドの後端部に当接して該プランジャーの押し込みに伴って該ロッドをスライドさせる着脱自在なカバーを備えることが望ましい。
【０００９】
前記カバーは、前記プランジャーストッパーにヒンジを介して連結されたものであることが望ましい。
【００１０】
前記シリンジは、注射針の未装着姿勢において前記先端筒体に装着される先端カバーを備えることが望ましい。
【発明の効果】
【００１１】
プランジャーに、充填空間内へ内容物を導入するに際してそのプランジャーの引き戻しを停止させる係止端を設けたので、プランジャーを引き上げすぎることがなくなり、内容物を余分に導入してしまうことがない。また、ピストンに設けた中央開孔に摺動可能に保持されて、プランジャーの内側にて、そのプランジャーと同心二重配置となるロッドを設け、さらに、プランジャーストッパーをシリンジの指掛け部に当接させることで、充填空間内の残留空気を一部の内容物とともに排出させつつ残りの内容物は充填空間内に残してその押し込みを停止させ、加えて、ロッドの押し込みに係るその先端部の充填空間内への突き出しによって注射針から内容物を排出する一方、ロッドストッパーがプランジャーに当接して、先端部は所定の突き出し量で停止されるので、少量の内容物でも所期した量を正確に排出させることができる。しかも排出に係る操作は、プランジャー及びロッドを、それぞれのストッパーが当接するまで押し込むだけで済むので使い勝手が良くなる。
【００１２】
一端部をプランジャーに連結させた弾性片の他端部をプランジャーの引き戻しを停止させる係止端とする場合は、係止端をプランジャーと一体化できるので、パーツ数を削減でき、しかも弾性片が撓むので、プランジャーをシリンジに取り付けるに当たり、組み立て作業性が損なわれることがない。
【００１３】
プランジャーに、ロッドの後端部に当接してプランジャーの押し込みに伴ってロッドをスライドさせる着脱自在なカバーを設ける場合は、ロッドに触れることがないので不用意にロッドの位置がずれてしまうことがなく、またプランジャーの押し込み中もロッドがずれることなくスライドするので、内容物の量が所期した量から変わってしまうことがない。
【００１４】
カバーとプランジャーストッパーとをヒンジを介して連結する場合は、パーツ数を削減できるだけでなく片手でカバーを開けることができるので、使い勝手を高めることができる。
【００１５】
シリンジの先端筒体に装着される先端カバーを設ける場合は、注射針を装着する直前までシリンジ内を密封することができるので、シリンジ内への異物等の侵入を有効に防止することができる。
【図面の簡単な説明】
【００１６】
【図１】本発明に従う注射器の実施の形態につき、（ａ）は注射針未装着姿勢の注射器の軸線に沿う断面図であり、（ｂ）は（ａ）に示すＡ−Ａに沿う断面図であり、（ｃ）は（ａ）に示すＢ−Ｂに沿う断面図である。
【図２】図１に示す注射器の平面図である。
【図３】図１に示す注射器の下面図である。
【図４】図１に示す注射針未装着姿勢の注射器と、この注射器に装着する注射針の断面図である。
【図５】図４に示す注射針を装着した、注射針装着姿勢の注射器の断面図である。
【図６】図５に示す注射器に内容物を導入した、内容物導入完了姿勢の注射器の断面図である。
【図７】図６に示す注射器のプランジャーを、プランジャーストッパーがシリンジの指掛け部に当接するまで押し込んだ、プランジャー押し込み完了姿勢の注射器の断面図である。
【図８】図７に示す注射器のカバーを開いた、カバー取り外し姿勢の注射器の断面図である。
【図９】図８に示す注射器のロッドを、ロッドストッパーがプランジャーに当接するまで押し込んだ、ロッド押し込み完了姿勢の注射器の断面図である。
【図１０】本発明に従う注射器の他の実施の形態を示す、注射針装着姿勢の注射器の断面図である。
【図１１】本発明に従う注射器のさらに他の実施の形態を示す、注射針装着姿勢の注射器の断面図である。
【発明を実施するための形態】
【００１７】
以下、図面を参照して、本発明をより具体的に説明する。
図１は、本発明に従う注射器の実施の形態につき、（ａ）は注射針未装着姿勢の注射器の軸線に沿う断面図であり、（ｂ）は（ａ）に示すＡ−Ａに沿う断面図であり、（ｃ）は（ａ）に示すＢ−Ｂに沿う断面図であって、図２は、図１に示す注射器の平面図であって、図３は、図１に示す注射器の下面図であって、図４は、図１に示す注射針未装着姿勢の注射器と、この注射器に装着する注射針の断面図であって、図５は、図４に示す注射針を装着した、注射針装着姿勢の注射器の断面図であって、図６は、図５に示す注射器に内容物を導入した、内容物導入完了姿勢の注射器の断面図であって、図７は、図６に示す注射器のプランジャーを、プランジャーストッパーがシリンジの指掛け部に当接するまで押し込んだ、プランジャー押し込み完了姿勢の注射器の断面図であって、図８は、図７に示す注射器のカバーを開いた、カバー取り外し姿勢の注射器の断面図であって、図９は、図８に示す注射器のロッドを、ロッドストッパーがプランジャーに当接するまで押し込んだ、ロッド押し込み完了姿勢の注射器の断面図であって、図１０は、本発明に従う注射器の他の実施の形態を示す、注射針装着姿勢の注射器の断面図であって、図１１は、本発明に従う注射器のさらに他の実施の形態を示す、注射針装着姿勢の注射器の断面図である。
【００１８】
図１（ａ）、図２、及び図３において、１はシリンジである。シリンジ１は、先端開口１ａ１を有し根元に向けて外径が漸増する先端筒体１ａと、先端筒体１ａと傾斜部を介して一体連結し先端筒体１ａよりも大径となる中間筒体１ｂと、中間筒体１ｂと段部１ｃを介して一体連結し中間筒体１ｂよりも大径となるシリンジ本体１ｄと、シリンジ本体１ｄの後端部から径方向外側に延在する円形状のフランジ（指掛け部）１ｅと、シリンジ本体１ｄの表裏を貫通するとともに軸線に沿う窓孔１ｆとからなる。なお以下、軸線方向に対して先端開口１ａ１側を先端側といい、反対側を後端側という。図示の例で窓孔１ｆは、シリンジ１の軸線を挟んで対向して配置され、図１（ｂ）、図３に示すように総計２個形成されている。また窓孔１ｆの後端側の開口端は、後述する窓孔端１ｆ１となっている。また、シリンジ１の内側の窓孔１ｆを設けた部位には、窓孔１ｆの先端側の開口端周辺からシリンジ本体１ｄの後端に至るまで、溝１ｇが設けられている。中間筒体１ｂの内面は、シリンジ１の軸線に沿ってほぼ平行となっている。そして、段部１ｃの内面には、先端側から後端側に向けて傾く傾斜部１ｃ１が設けられていている。
【００１９】
２は、シリンジ１内に摺動可能に配置されるピストンである。ピストン２は軟質材（ゴム等）によって形成されていて、シリンジ１の内側に充填される内容物を後述するロッドとともに液密に封止して内容物が充填される充填空間Ｍを形成している。なおここでの充填空間Ｍとは、先端筒体１ａの先端開口１ａ１からピストン２の先端壁２ａ１に至るシリンジ１の内側の領域をいう。
【００２０】
ピストン２は、先端壁２ａ１を有し中間筒体１ｂの内径とほぼ同一、或いはわずかに大きな外径となる先端部２ａと、先端側から後端側に向けて傾く傾斜部２ｂを介して先端部２ａに一体連結する基部２ｃと、先端部２ａ及び基部２ｃを軸線に沿って貫通する中央開孔２ｄとを備えている。中央開孔２ｄは、先端側に位置する先端内面壁２ｄ１が軸線に沿ってほぼ平行となっており、先端側から後端側に向けて傾く傾斜壁２ｄ２を介して後端側に位置する後端内面壁２ｄ３とつながっている。また、基部２ｃには、後述するプランジャーと連結する凹状結合部２ｃ１が設けられている。
【００２１】
３は、ピストン２に連結するプランジャーである。プランジャー３は、軸線に沿って延在するプランジャー本体３ａを備えている。プランジャー本体３ａの先端側には、凹状結合部２ｃ１に一体連結する凸状係合部３ａ１が形成されている。またプランジャー本体３ａの内側は軸線に沿って貫通していて、これにより内側空間３ａ２を形成している。内側空間３ａ２は、先端側に位置する先端内面壁３ａ３がピストン２の後端内面壁２ｄ３とほぼ同内径となっており、先端側から後端側に向けて傾く傾斜壁３ａ４を介して後端側に位置する後端内面壁３ａ５とつながっている。プランジャー本体３ａの外側には、シリンジ１の窓孔１ｆに対応させて弾性片３ａ６が設けられている。弾性片３ａ６は先端側から後端側に向けて外側に広がる向きに傾斜している。弾性片３ａ６の自由端は、後述する係止端３ａ７となっている。また、弾性片３ａ６を設けた部位には、基部２ｃとほぼ同外径となるリブ３ａ８を、弾性片３ａ６の撓み変位分を除くようにして設けている。さらにプランジャー３は、プランジャー本体３ａの後端部に一体連結する環状体３ｂと、環状体３ｂの後端部から径方向外側に延在するフランジ（プランジャーストッパー）３ｃとを備えている。またフランジ３ｃは、後端側に向けて突出してフランジ３ｃよりも小径となる環状壁３ｃ１を備えている。環状壁３ｃ１の後端側の外側端縁には傾斜部３ｃ２が形成されている。
【００２２】
また、プランジャーストッパー３ｃの後方には、カバー３ｄを配置することが好ましい。カバー３ｄはプランジャーストッパー３ｃに着脱可能に（例えばねじ結合や弾性変位する爪による結合等）取り付けられる。図示の例では、プランジャーストッパー３ｃとカバー３ｄとをヒンジｈを介して連結している。カバー３ｄは、中央壁部（プランジャー操作部）３ｄ１の縁部に環状の周壁３ｄ２を一体連結するとともに、周壁３ｄ２の内側に、この周壁３ｄ２よりも高さが低くなるリブ３ｄ３を周方向に間隔をおいて複数設けている。また周壁３ｄ２の外側には、ヒンジｈと対向する位置に凸部３ｄ４を一体連結している。そして周壁３ｄ２の内径は、環状壁３ｃ１の外径とほぼ同一、或いはわずかに小さくなっているので、図１に示すカバー３ｄが閉められた姿勢（カバー取り付け姿勢）においては、カバー３ｄは環状壁３ｃ１に嵌合によって保持される。
【００２３】
４は、プランジャー３の内側空間３ａ２に配されてプランジャー３と同心二重配置となるロッドである。ロッド４は、ピストン２の中央開孔２ｄ、特には先端内面壁２ｄ１の内径とほぼ同一、或いはわずかに大きくなる外径を有し、先端内面壁２ｄ１に摺動可能に保持される先端部４ａと、先端側から後端側に向けて傾く傾斜部４ｂを介して先端部４ａに一体連結する中間部４ｃと、先端側から後端側に向けて傾く傾斜部４ｄを介して中間部４ｃに一体連結するロッド本体部４ｅとを備えている。また、先端部４ａの前方壁４ａ１とピストン２の先端壁２ａ１とはほぼ同一面上にある。また、中間部４ｃからロッド本体部４ｅに至る内側には、肉盗みとしての穴部４ｆが形成されていて、それらの部位の肉厚はほぼ同一となっている。さらにロッド本体部４ｅの後端部には、径方向外側に延在するフランジ（ロッド操作部）４ｇを設け、ロッド操作部４ｇの縁部には、先端側に向かう環状部４ｈが形成されている。ここでロッド操作部４ｇは、カバー３ｄを設ける場合には、図１に示すようにカバー３ｄの中央壁部３ｄ１の内面と当接させることが好ましい。また環状部４ｈの先端側の端部は、ロッドストッパー４ｈ１となっている。なおロッドストッパー４ｈ１とは、後述するように、ロッド４を押し込んだ際にプランジャー３に当接してその押し込みを停止させるものであり、その形状は環状部４ｈの先端側の端部だけに限られず、例えば環状部４ｈを設けずに、ロッド操作部４ｇの面を直接プランジャーストッパー３ｃに当接させるようにしても良い。
【００２４】
５は、後述する注射針の未装着姿勢においてシリンジ１の先端筒体１ａに装着される先端カバーである。先端カバー５は、円状壁５ａと、円状壁５ａの縁部と一体連結する環状の周壁５ｂとからなり、周壁５ｂを先端筒体１ａに嵌め込んで充填空間Ｍ内を液密に封止することができる。なお先端カバー５は、螺合によって先端筒体１ａに取り付けるようにしても良い。
【００２５】
また図４において、６は、先端カバー５を取り外した後、シリンジ１の先端筒体１ａに装着される注射針である。注射針６は、例えば未使用時においては保護ケースＣ等に収納されている。また注射針６は、種々のタイプのものを使用することができるが、図示の例では基部６ａに針部６ｂが取り付けられていて、基部６ａを先端筒体１ａに押し込むことでシリンジ１への装着が完了するようになっている。なお、基部６ａ及び先端筒体１ａにねじ部を設けて螺合によって装着するようにしても良い。
【００２６】
上記のように構成される注射器は、シリンジ１にピストン２及びプランジャー３を取り付けるに当たり、ピストン２における先端部２ａの外径は、シリンジ１における中間筒体１ｂの内径とほぼ同一、或いはわずかに大きくなっているが、先端部２ａは、シリンジ１の傾斜部１ｃ１によって誘導されて中間筒体１ｂに挿入されるので、組み立て作業性が損なわれることがない。またプランジャー３は、弾性片３ａ６をシリンジ１の溝１ｇに沿わせて押圧し、弾性片３ａ６が撓みつつプランジャー３が先端側に押し込まれ、係止端３ａ７が窓孔端１ｆ１を超えたところで撓んでいた弾性片３ａ６が復元する。これによりプランジャー３を後端側に引き戻しても、係止端３ａ７が窓孔端１ｆ１に当接して、シリンジ１の引き戻し量が特定される。そして、ロッド４における先端部４ａの外径は、ピストン２における先端内面壁２ｄ１の内径とほぼ同一、或いはわずかに大きくなっているが、先端部４ａは、ピストン２の傾斜壁２ｄ２によって誘導されて先端内面壁２ｄ１に挿入されるので、上述したシリンジ１及びピストン２と同様に組み立て作業性が損なわれることがない。
【００２７】
そして上記の注射器にて内容物の排出を行うに当たっては、図４に示す注射針未装着姿勢の注射器から先端カバー５を取り外し、図５に示すように注射針６を装着する。
【００２８】
そして、図６に示すように、例えば瓶等に収容された内容物内に注射針６の先端が隠れるようにした状態で、プランジャー３を、係止端３ａ７が窓孔端１ｆ１に当接するまで矢印の方向に引き戻す。この時、ロッド４における先端部４ａの外径は、ピストン２における先端内面壁２ｄ１の内径とほぼ同一、或いはわずかに大きくなっているので、プランジャー３の引き戻しに伴い、図示のようにロッド４も併せて引き戻される。これにより、充填空間Ｍ内が負圧となるため充填空間Ｍ内に内容物が吸い上げられ、また所定の引き戻し量でプランジャー３が停止されるので、内容物を余分に吸い上げてしまうことがない。なお内容物を吸い上げる前は、元々充填空間Ｍに空気が入っていたので、内容物の吸い上げ完了時には、充填空間Ｍ内に内容物とともに空気も入った状態となっている。
【００２９】
次いで、図７に示すように注射針６を上方に向けた姿勢で、矢印の向きにプランジャー操作部３ｄ１を押圧し、ロッド４を伴ってプランジャー３を軸線に沿ってスライドさせ、プランジャーストッパー３ｃがシリンジ１の指掛け部１ｅに当接するまで押圧を継続する。これにより、ピストン２がシリンジ１の先端筒体１ａに向けて押し込まれるので、内容物とともに充填空間Ｍ内及び注射針６内の空気が注射針６の先端から排出される。ここで、排出される内容物は一部のみであって、充填空間Ｍ内には内容物が残った状態となっている。なお、ロッド４とピストン２のしめしろ（先端部４ａと先端内面壁２ｄ１とのしめしろ）の方が、ピストン２とシリンジ１のしめしろ（先端部２ａと中間筒体１ｂとのしめしろ）よりも大きい場合は、カバー３ｄを開いた状態でプランジャー３のプランジャーストッパー３ｃ付近を押圧しても、ロッド４を伴ってスライドさせることが可能であるが、図示のようにカバー３ｄを閉じてプランジャー３を押圧すればロッド４を不用意に押し込んでしまうことがない。
【００３０】
その後、図８に示すようにカバー３ｄを開くことでロッド４が押圧可能な状態となる。図示の例ではカバー３ｄがヒンジｈにてプランジャーストッパー３ｃに連結しているので、凸部３ｄ４に指を掛けて押し上げてワンタッチでカバー３ｄを開けることができる。
【００３１】
そして、図９に示すようにロッド操作部４ｇを押圧し、ロッド４の先端部４ａを充填空間Ｍ内に突き出す。そしてロッド操作部４ｇの押圧を続けると、ロッドストッパー４ｈ１がプランジャーストッパー３ｃに当接し、先端部４ａの突き出しが停止する。ここで、ロッド４の押し込み前においては、充填空間Ｍ及び注射針６の内側は内容物で満たされているので、ロッド４を押し始めてから停止するまでに先端部４ａが充填空間Ｍ内にスライドする体積分に相当する内容物が、注射針６の先端から排出されることになる。これにより少量の内容物であっても、所定の量が正確に排出できる。
【００３２】
なお、一般に注射器を操作するに当たっては、シリンジ１の指掛け部１ｅに人差し指と中指を添えた状態で、プランジャー操作部３ｄ１を親指で押し込むが、プランジャーストッパー３ｃからプランジャー操作部３ｄ１に至る長さが短すぎると注射器の保持性が損なわれるおそれがある。このため、上掲図５に対応する図１０に示すように、ロッド本体部４ｅ及びカバー３ｄを後端部側に伸延させた形状（図１０に示すプランジャーストッパー３ｃからプランジャー操作部３ｄ１に至る長さＬを長くする）とすることで、より持ちやすくすることができる。
【００３３】
また、上掲図５に対応する図１１に示すように、ピストン２とプランジャー３とを一体連結して例えば合成樹脂製の新たなプランジャー３０とし（図中、プランジャー３０の各部の符号はプランジャー３に対応させて付している）、シリンジ１との間で摺動する部位に溝Ｓを設けて環状の弾性部材Ｇ（Ｏリング等）を配置するとともに、プランジャー３０の内側で摺動するロッド４に溝Ｓ及び弾性部材Ｇを設けても良い。
【産業上の利用可能性】
【００３４】
本発明によれば、少量の内容物を定量で排出させることができ、しかも簡易な構成で実現できる使い勝手の良い注射器を提供できる。
【符号の説明】
【００３５】
１    シリンジ
１ａ  先端筒体
１ｂ  中間筒体
１ｃ  段部
１ｄ  シリンジ本体
１ｅ  フランジ（指掛け部）
１ｆ  窓孔
１ｆ１  窓孔端
１ｇ  溝
２    ピストン
２ａ  先端部
２ｂ  傾斜部
２ｃ  基部
２ｄ  中央開孔
３    プランジャー
３ａ  プランジャー本体
３ａ２  内側空間
３ａ６  弾性片
３ａ７  係止端
３ｂ  環状体
３ｃ  フランジ（プランジャーストッパー）
３ｄ  カバー
３ｄ１  中央壁部（プランジャー操作部）
３ｄ２  周壁
３ｄ３  リブ
３ｄ４  凸部
４    ロッド
４ａ  先端部
４ｂ  傾斜部
４ｃ  中間部
４ｄ  傾斜部
４ｅ  ロッド本体部
４ｆ  穴部
４ｇ  フランジ（ロッド操作部）
４ｈ  環状部
４ｈ１  ロッドストッパー
５    先端カバー
５ａ  円状壁
５ｂ  周壁
６    注射針
６ａ  基部
６ｂ  針部
Ｍ  充填空間
【図１】
0005695484.tif 000002
【図２】
0005695484.tif 000003
【図３】
0005695484.tif 000004
【図４】
0005695484.tif 000005
【図５】
0005695484.tif 000006
【図６】
0005695484.tif 000007
【図７】
0005695484.tif 000008
【図８】
0005695484.tif 000009
【図９】
0005695484.tif 000010
【図１０】
0005695484.tif 000011
【図１１】
0005695484.tif 000012